(57)【要約】【課題】室１が賃貸物件の空き室等の密閉空間であっても、室１内に発生する所定濃度以上の臭い成分を特定し、全ての種類の臭い成分が低減されたことを実感できるようにする。【解決手段】建物Ｂの外壁部４ａに開口する窓７を通して太陽光が入射する室１内の臭い成分を除去するための消臭システムＳとして、室１内の床部２表面に除去可能に設けられ、室１内に入射した太陽光に含まれる紫外線の照射により励起状態となって臭い成分を分解する光触媒１２と、室１内に入射した太陽光を受けて発電する太陽電池１７と、この太陽電池１７の出力電力により作動し、室１内の空気を、励起状態になった光触媒１２に当たるように０．１ｍ／ｓ以上の風速で送る電動ファン装置１５とを備え、室１内の空気中に含まれる臭気強度３以上の特定の臭い成分の全ての種類が、光触媒１２との接触により臭気強度２以下に低減される性能を有する。【選択図】図１
2017176759.tif 000002
【特許請求の範囲】
【請求項１】
建物の外壁部に開口する外壁開口部を通して太陽光が入射する室内の臭い成分を除去するための消臭システムであって、
上記室内に除去可能に設けられ、上記室内に入射した太陽光に基づいて発生した紫外線の照射により励起状態となって臭い成分を分解する光触媒と、
上記室内の空気を、上記励起状態になった光触媒に当たるように所定以上の風速で送る送風手段とを備え、
上記室内の空気中に含まれる臭気強度３以上の特定の臭い成分の全ての種類が、上記光触媒との接触により臭気強度２以下に低減される性能を有することを特徴とする消臭システム。
【請求項２】
請求項１において、
光触媒が、外壁開口部の建具におけるガラスの内面、又は室内の床部、壁部もしくは天井部の表面に除去可能に設けられていることを特徴とする消臭システム。
【請求項３】
請求項１において、
室内にシート状物が外壁開口部に対向するように取り外し可能に配置され、
上記シート状物に光触媒が設けられていることを特徴とする消臭システム。
【請求項４】
請求項１〜３のいずれか１つにおいて、
光触媒は、外壁開口部を通して入射する太陽光に含まれる紫外線により励起状態になるように構成されていることを特徴とする消臭システム。
【請求項５】
請求項１〜３のいずれか１つにおいて、
外壁開口部を通して入射する太陽光により発電する太陽電池と、
上記太陽電池の出力電力を受けて、光触媒に該光触媒が励起状態になるように紫外線を照射する紫外線照射装置とが設けられていることを特徴とする消臭システム。
【請求項６】
請求項１〜５のいずれか１つにおいて、
室内にシート状物が、外壁開口部に対向して該外壁開口部との間に空気通路を区画するように配置され、
上記シート状物の下端部、又は該下端部と室内の床部との間には、上記空気通路の下端を該空気通路以外の室内空間と連通する下側連通路が、またシート状物の上端部、又は該上端部と室内の天井部との間には、空気通路の上端を該空気通路以外の室内空間と連通する上側連通路がそれぞれ形成され、
送風手段は、外壁開口部を通して入射した太陽光により空気通路の空気が加熱されて該空気通路を上昇することで、空気通路と空気通路以外の室内空間との間に連通路を介して対流を生じさせるものとされていることを特徴とする消臭システム。
【請求項７】
請求項１〜５のいずれか１つにおいて、
外壁開口部を通して入射する太陽光により発電する太陽電池を備え、
送風手段は、上記太陽電池の出力電力を受けて作動するファン装置であることを特徴とする消臭システム。
【請求項８】
請求項１〜７のいずれか１つにおいて、
建物の室は、賃貸用の空き室であることを特徴とする消臭システム。
【請求項９】
建物の外壁部に開口する外壁開口部を通して太陽光が入射する室内の臭い成分を除去するための消臭方法であって、
室内に除去可能に設けられている光触媒に紫外線を照射して励起状態にし、
その励起状態になった光触媒に室内の空気を所定以上の風速で送って当てることにより、室内の空気中に含まれる臭気強度３以上の特定の臭い成分の全ての種類を、上記光触媒との接触により臭気強度２以下に低減することを特徴とする消臭方法。
【発明の詳細な説明】
【技術分野】
【０００１】
本発明は、密閉空間とされた室内を消臭するための消臭システム及び消臭方法に関する。
【背景技術】
【０００２】
従来、室内に施工されて室内の空気を消臭するための消臭建築材料として、特許文献１〜３に示されるものが知られている。特許文献１に示される消臭建築材料は、基材と、基材に接着剤を介して接着された化粧材とを備えた化粧板であり、その化粧材の透気度が特定され、接着剤中に無機系消臭剤が含有されている。
【０００３】
また、特許文献２には、壁材、天井材、内装材、建具等を支持体とし、その支持体に、炭層と活性炭層とが隣接して配置される汚染ガス吸収層を支持した消臭装置が提案されている。
【０００４】
さらに、特許文献３に示される消臭建築材料は間仕切りパネルであり、この間仕切りパネルでは、ペーパーコアの両面に合板が貼り合わされ、各合板の表面に消臭塗料によるコーティング層が形成されている。
【０００５】
一方、特許文献４には、光触媒を利用した消臭効果が得られ、室内の空気を消臭するための空気清浄機が提案されている。この空気清浄機では、吸気口及び排気口を有する本体ケース内に送風路が吸気口及び排気口に連通するように形成され、その送風路の上流端に送風機部材が設けられ、送風路の両側に、紫外線を出力するＵＶ光源と、そのＵＶ光源からの紫外線の照射により励起状態になる光触媒とが対向して配置されており、送風機部材により空気清浄機外の室内の空気を吸気口から送風路内に吸い込んで、その送風路内で空気中に光触媒によってフリーラジカルを生じさせ、そのフリーラジカルにより細菌等を分解して空気を清浄にしかつ消臭した後、その空気を排気口から室内に排出するようになっている。
【先行技術文献】
【特許文献】
【０００６】
【特許文献１】特開２００３−１１８０６３号公報
【特許文献２】特開２００５−８１０６６号公報
【特許文献３】特開平８−２３０１０８号公報
【特許文献４】実用新案登録第３１５４６７０号公報
【発明の概要】
【発明が解決しようとする課題】
【０００７】
ところで、特許文献１〜３に示されるように消臭に配慮した様々な建築材料が上市されているが、実際には、これらの建築材料を居室に施工したとしても、消臭効果が体感できることが殆どないのが現状である。これは、消臭効果を謳った建築材料の性能確認方法と、実際の使用状況との乖離によるものである。
【０００８】
一般に、消臭のメカニズムでは、化学消臭剤、光触媒、無機質多孔質吸着剤、化学吸着剤等の消臭剤に対し臭い成分（臭いの原因となる臭気物質）が接触したとき、化学消臭剤又は化学吸着剤であれば臭い成分の反応による化学変化が生じ、光触媒であれば臭い成分の酸化還元反応による分解が生じ、無機質多孔質吸着剤又は化学吸着剤であれば臭い成分が吸着されることで、臭いが低減されていく。別の観点から見ると、消臭効果のある建築材料を施工したとしても、その建築材料の消臭剤に、臭い成分を含む汚染された空気が接触しない限り、消臭効果が発揮されないことが明らかである。
【０００９】
一方、臭い成分は、その物質毎に検知閾値（臭い成分を感じる最低濃度）や臭気強度が異なり、空気中の臭い成分濃度を測定するために一般的に採用されている検知管により消臭試験で９０％以上、或いは１００％（検知管の検知限界濃度未満）の消臭効果がある場合でも、検知閾値が極めて低い成分の場合は、臭いを感じてしまう場合がある。
【００１０】
例えばプロピオン酸、n-酪酸、n-吉草酸等は検知閾値が低く、プロピオン酸の文献上の臭気閾値は０．００５７ｐｐｍであり、臭気強度３では０．０６９ｐｐｍである。n-酪酸の文献上の検知閾値は０．０００１９ｐｐｍであり、臭気強度３では０．００２４ｐｐｍである。また、n-吉草酸の文献上の検知閾値は０．００００３７ｐｐｍであり、臭気強度３では０．００１９ｐｐｍである。検知閾値とは、人間の感覚器官がその臭いを感じ始める濃度である。
【００１１】
さらに、臭いの原因となる物質は多種多様であり、実際の生活シーンで発生すると想定される悪臭は、それら多種類の臭い成分が複合した複合臭である。従って、複合した臭い成分のいくつかが消臭されても、それ以外の臭い成分が残っていれば、検知管で１００％消臭された結果が出ても、結果的に消臭効果を体感することは困難である。
【００１２】
特に、建物の室が、例えば人の使用や居住のないまま放置される期間のある賃貸用の空き室である場合、その期間中、空き室は閉鎖された空間となり、その閉鎖空間に空気の出入りがないために種々の臭い成分が充満するようになって、消臭効果の体感が困難になる。
【００１３】
本発明は斯かる諸点に鑑みてなされたもので、その目的は、室の内部構成に工夫を加えることにより、室が密閉空間であっても、その室内に発生する所定濃度以上の特定の臭い成分の全ての種類が低減又は消臭されたことを実感できるようにすることにある。
【課題を解決するための手段】
【００１４】
上記の目的を達成すべく、この発明では、室内に、電子が励起状態になること（以下「励起状態」という）で臭い成分を分解する光触媒を設け、その光触媒に紫外線を照射して励起状態にするとともに、その光触媒に対し消臭専用の送風手段により室内の空気を強制的に当て、空気中の所定臭気強度以上の特定の臭い成分の全ての種類を光触媒に接触させ、その臭い成分の光触媒との接触機会を増やすようにした。
【００１５】
具体的には、第１の発明は、建物の外壁部に開口する外壁開口部を通して太陽光が入射する室内の臭い成分を除去するための消臭システムであって、上記室内に除去可能に設けられ、上記室内に入射した太陽光に基づいて発生した紫外線の照射により励起状態となって臭い成分を分解する光触媒と、上記室内の臭い成分を含む空気を、上記励起状態になった光触媒に当たるように所定以上の風速で送る送風手段とを備え、上記室内の空気中に含まれる臭気強度３以上の特定の臭い成分の全ての種類が、上記光触媒との接触により臭気強度２以下に低減される性能を有することを特徴とする。上記外壁開口部とは、太陽光が入射する窓や出入り口をいうものとする。
【００１６】
この第１の発明では、室内に外壁開口部を通して入射した太陽光に基づいて紫外線が発生し、その紫外線の照射により光触媒が励起状態となる一方、送風手段が動作して、室内の臭い成分を含む空気が上記励起状態になった光触媒に当たるように所定以上の風速で送られる。このように、励起状態の光触媒に臭い成分を含む空気が当たることで、その空気中に含まれる臭気強度３以上の特定臭い成分の全ての種類が励起状態の光触媒に接触し、それら特定の臭い成分の全ての種類が光触媒により分解されて臭気強度３以上から臭気強度２以下に低減される。
【００１７】
そして、光触媒は紫外線の照射により確実に励起状態になり、かつ、その光触媒に室内の臭い成分を含む空気が強制的に送られて当たるので、室内の臭い成分を含む空気を満遍なく確実に光触媒に接触させることができる。よって、室内が閉鎖された空間であっても、臭気強度３以上の特定臭い成分の全ての種類が臭気強度２以下に低減され、その閉鎖空間に特定の臭い成分が充満することはなく、閉鎖空間内の消臭効果を実感することができる。
【００１８】
また、外壁開口部を通して室内に入射する太陽光を利用して光触媒に紫外線を照射しているので、太陽光が室内に入射されている限り自動的に光触媒が励起状態になって、その光触媒に送風手段により室内の空気が当てられることとなり、室内の空気の消臭を人手の掛からない無人の状態で安定して行うことができる。
【００１９】
さらに、光触媒は室内に除去可能に設けられているので、消臭しようとする室に必要に応じて光触媒を送風手段と共に設けるだけでよく、消臭が不要となったときには光触媒を除去すれば済み、室の消臭を容易に行うことができる。
【００２０】
第２の発明は、第１の発明において、光触媒が、外壁開口部の建具におけるガラス内面、又は室内の床部、壁部もしくは天井部の表面に除去可能に設けられていることを特徴とする。
【００２１】
この第２の発明では、光触媒が外壁開口部の建具におけるガラス内面、又は室内の床部、壁部もしくは天井部の表面に除去可能に設けられているので、室内において光触媒を設けるための望ましい位置が容易に得られる。また、消臭が不要となったときには光触媒を除去すれば済み、室の消臭を容易に行うことができる。
【００２２】
第３の発明は、第１の発明において、室内にシート状物が外壁開口部に対向するように取り外し可能に配置され、このシート状物に光触媒が設けられていることを特徴とする。
【００２３】
この第３の発明では、外壁開口部に対向するように室内に取り外し可能に配置されたシート状物に光触媒が設けられているので、この場合も、室内において光触媒を設けるための望ましい位置が容易に得られる。
【００２４】
第４の発明は、第１〜第３の発明のいずれか１つにおいて、光触媒は、外壁開口部を通して入射する太陽光に含まれる紫外線により励起状態になるように構成されていることを特徴とする。
【００２５】
この第４の発明では、光触媒は、室内において、外壁開口部を通して入射する太陽光が照射される位置に配置され、日中、室内に外壁開口部を通して入射された太陽光が照射されると、その太陽光に含まれる紫外線により励起される。このことで、別途の紫外線照射装置を要することなく、太陽光をそのまま利用して光触媒を励起状態にすることができる。
【００２６】
第５の発明は、第１〜第３の発明のいずれか１つにおいて、外壁開口部を通して入射する太陽光により発電する太陽電池と、この太陽電池の出力電力を受けて、光触媒に該光触媒が励起状態になるように紫外線を照射する紫外線照射装置とが設けられていることを特徴とする。尚、太陽電池とはソーラーセル、その複数のソーラーセルを組み合わせたソーラーモジュール、複数のソーラーモジュールを組み合わせたソーラーアレイパネルのいずれかをいうものとし、これらは出力電圧の大きさが異なるように組み合わされただけである。
【００２７】
この第５の発明では、室内において、外壁開口部を通して入射する太陽光が照射される位置に太陽電池が配置されている。このため、太陽光が太陽電池に照射されると、この太陽電池が発電し、この太陽電池の出力電力を受けて室内の紫外線照射装置が作動して紫外線を出力し、この紫外線が光触媒に照射されて該光触媒が励起状態になる。このため、室内において、外壁開口部と反対側で日射が当たらない部分に光触媒及び紫外線照射装置を設けても、その紫外線照射装置を太陽電池からの出力電力により作動させて光触媒を励起状態にできるようになり、日射が当たらない部分で消臭効果を発揮させることができる
第６の発明は、第１〜第５の発明のいずれか１つにおいて、室内にシート状物が、外壁開口部に対向して該外壁開口部との間に空気通路を区画するように配置され、このシート状物の下端部、又は該下端部と室内の床部との間には、上記空気通路の下端を該空気通路以外の室内空間と連通する下側連通路が、またシート状物の上端部、又は該上端部と室内の天井部との間には、空気通路の上端を該空気通路以外の室内空間と連通する上側連通路がそれぞれ形成され、送風手段は、外壁開口部を通して入射した太陽光により空気通路の空気が加熱されて該空気通路を上昇することで、空気通路と空気通路以外の室内空間との間に連通路を介して自然対流を生じさせるものとされていることを特徴とする。
【００２８】
この第６の発明では、室内にシート状物が外壁開口部との間に空気通路を区画するように配置され、この空気通路は、シート状物下側の下側連通路及びシート状物上側の上側連通路を介して空気通路以外の室内空間と連通している。そして、外壁開口部を通して入射した太陽光が例えばシート状物等に当たって空気通路の空気が加熱されると、その空気が空気通路を上昇して上側連通路を経て空気通路以外の室内空間に流れ、これに伴い、空気通路以外の室内空間の臭い成分を含む空気が下側連通路を経て空気通路の下端に流れ込む。このような流れにより、空気通路と空気通路以外の室内空間との間に空気の自然対流が生じて送風手段となり、この自然対流による臭い成分を含む空気が光触媒に当たって、その空気中の特定臭い成分の全ての種類が臭気強度２以下に低減される。このことで、光触媒に室内の空気を送って当てるための送風手段が簡単な構造で得られる。
【００２９】
第７の発明は、第１〜第５の発明のいずれか１つにおいて、外壁開口部を通して入射する太陽光により発電する太陽電池を備え、送風手段は、上記太陽電池の出力電力を受けて作動するファン装置であることを特徴とする。尚、太陽電池とはソーラーセル、その複数のソーラーセルを組み合わせたソーラーモジュール、複数のソーラーモジュールを組み合わせたソーラーアレイのいずれかをいうものとし、これらは出力電圧の大きさが異なるだけである。
【００３０】
この第７の発明では、室内において、外壁開口部を通して入射する太陽光が照射される位置に太陽電池が配置されており、この太陽電池に太陽光が照射されると、太陽電池が発電し、この太陽電池の出力電力を受けて室内のファン装置が作動して送風し、室内の空気が励起状態の光触媒に送られて接触し、その空気中の特定臭い成分の全ての種類が臭気強度２以下に低減される。このことで、光触媒に室内の空気を送って当てるための送風手段が容易に得られる。
【００３１】
しかも、光触媒を励起状態とするための紫外線は、室内に入射した太陽光に基づいて発生し、同じ入射太陽光をエネルギー源として太陽電池で電力に変え、その電力により送風手段も動作するので、外部の電源や電力は不要となる。
【００３２】
第８の発明は、第１〜第７の発明のいずれか１つにおいて、建物の室は、賃貸用の空き室であることを特徴とする。
【００３３】
この第８の発明では、建物の室である賃貸用の空き室において、紫外線の照射により光触媒が励起状態となる一方、送風手段が動作して室内の臭い成分を含む空気が励起状態の光触媒に当たり、その空気中に含まれる臭気強度３以上の特定臭い成分の全ての種類が光触媒により分解されて臭気強度２以下に低減される。このことで、空き室が人の使用や居住のないまま放置されて閉鎖空間となる期間中は、絶えず光触媒による消臭処理が続けられることとなり、室を見るために訪れた入居希望者が入室時に臭いについて好ましい第１印象を持つようになり、空き室の入居率の向上を期待することができる。
【００３４】
また、光触媒は除去可能であるので、空き室の入居が決まった後は、その光触媒を送風手段と共に除去すればよく、容易に元通りにすることができる。
【００３５】
この第９の発明は消臭方法に係るものであり、この消臭方法は、建物の外壁部に開口する外壁開口部を通して太陽光が入射する室内の臭い成分を除去するための消臭方法であって、室内に除去可能に設けられている光触媒に紫外線を照射して励起状態にし、その励起状態になった光触媒に室内の臭い成分を含む空気を所定以上の風速で送って当てることにより、室内の空気中に含まれる臭気強度３以上の特定の臭い成分の全ての種類を、上記光触媒との接触により臭気強度２以下に低減することを特徴とする。
【００３６】
この第９の発明では、室内に設けられている光触媒が紫外線の照射により励起状態となり、この励起状態になった光触媒に室内の臭い成分を含む空気が所定以上の風速で送られて当てられ、その室内の空気中に含まれる臭気強度３以上の特定の臭い成分の全ての種類が光触媒との接触により臭気強度２以下に低減される。このことで、室内の空間が閉鎖された空間であっても、臭気強度３以上の特定臭い成分の全ての種類が臭気強度２以下に低減され、その閉鎖空間に特定の臭い成分が充満することはなく、閉鎖空間内の消臭効果を実感することができる。
【００３７】
また、光触媒は室内に除去可能に設けられているので、消臭しようとする室に必要に応じて光触媒を設けるだけでよく、消臭が不要となったときには光触媒を除去すれば済み、室の消臭を容易に行うことができる。
【発明の効果】
【００３８】
以上説明したように、本発明によると、太陽光が建物の外壁開口部を通して入射する室内に、励起状態で臭い成分を分解する光触媒と、室内の臭い成分を含む空気を光触媒に当たるように送る送風手段とを設け、室内の空気中に含まれる臭気強度３以上の特定の臭い成分の全ての種類を光触媒との接触により臭気強度２以下に低減するようにしたことにより、室内の空間が閉鎖された空間であっても臭気強度３以上の特定臭い成分の全ての種類を低減して、その閉鎖空間内の消臭効果を実感することができる。また、外壁開口部を通して太陽光が室内に入射されている限り自動的に、光触媒を励起状態にして室内の空気を当てることができり、室内の空気の消臭を人手の掛からない無人の状態で安定して行うことができる。さらに、消臭しようとする室に必要に応じて光触媒を設けるだけでよく、消臭が不要となったときには光触媒を除去すれば済み、室の消臭を容易に行うことができる。
【図面の簡単な説明】
【００３９】
【図１】図１は、本発明の実施形態１に係る消臭システムを概略的に示す断面図である。
【図２】図２は、実施形態２に係る消臭システムを概略的に示す図１相当図である。
【図３】図３は、実施形態３に係る消臭システムを概略的に示す図１相当図である。
【図４】図４は、実施形態４に係る消臭システムを概略的に示す図１相当図である。
【発明を実施するための形態】
【００４０】
以下、本発明の実施形態を図面に基づいて詳細に説明する。以下の実施形態の説明は、本質的に例示に過ぎず、本発明、その適用物或いはその用途を制限することを意図するものでは全くない。
【００４１】
（実施形態１）
図１において、１は建物Ｂ内に形成された室で、この室１は床部２、天井部３及び壁部４を有し、壁部４のうち建物Ｂの外側に位置する外壁部４ａには外壁開口部としての窓７が開口され、この窓７には、窓７を開閉する窓ガラス９を有するサッシ８が嵌め込まれており、この窓７（窓ガラス９）を通して太陽光が室１内に入射するようになっている。上記室１は、例えばビル、店舗、事務所等の賃貸物件における賃貸用の空き室が望ましいが、そのような賃貸用の空き室に限定されず、人が使用や居住している室等、その他の用途の室であってもよい。
【００４２】
このような室１の内部に本発明の実施形態１に係る消臭システムＳが設けられ、この消臭システムＳは、臭い成分を分解する光触媒（図示せず）を有する消臭素子含有層１２を備えている。光触媒は、紫外線の照射により励起状態になり、臭い成分をラジカル分解するもので、例えば二酸化チタン（ＴｉＯ２）や酸化タングステン、チタン酸ストロンチウム、硫化亜鉛、窒化ガリウム、酸化ガリウム等が用いられる。この実施形態では、光触媒を有する消臭素子含有層１２は室１内の床部２表面（上面）において、窓７（窓ガラス９）を通して室１内に入射する太陽光が当たる部分に設けられており、この窓７を通して入射する太陽光が消臭素子含有層１２の光触媒に照射されたときに、その太陽光に含まれる紫外線により光触媒が励起状態になるようにしている。
【００４３】
光触媒を床部２表面に露出した状態で設ける場合、例えば光触媒を塗料に混ぜて塗布して床部２表面に塗膜を形成したり、光触媒を繊維に吹き付け、その繊維を床部２表面に貼り付けたり、或いは光触媒を粉体で床部２表面に固着したりして設けられている。このように設けることで、光触媒（消臭素子含有層１２）は、通常の使用状態では除去されないが、使用停止時には床部２表面（室１の内部）から容易に除去可能となっており、例えば塗膜の場合は拭き取って除去できるようになっている。
【００４４】
室１内には、図示しないが、回転するファンブレードにより吸込み部から吸い込んだ空気を吹出し部から吹き出させる送風手段としての消臭専用の電動ファン装置１５と、窓７（外壁開口部）を通して入射する太陽光を受けて発電する太陽電池１７とが近接して配置され、これらは床部２から離れた状態で例えば１つの支持台１９上に載置されている。太陽電池１７は、ソーラーセル、ソーラーモジュール、ソーラーアレイのいずれかからなるもので、室１内の床部２表面（上面）において、窓７（窓ガラス９）を通して室１内に入射する太陽光が当たる部分に配置されており、この太陽電池１７に、窓７を通して室１内に入射する太陽光が当たることで、太陽電池１７が発電するようになっている。
【００４５】
また、太陽電池１７の電気出力部は電動ファン装置１５に電線（図示せず）により接続されており、太陽電池１７が発電すると、その電力が電動ファン装置１５に送られて該電動ファン装置１５が作動（回転）し、この電動ファン装置１５の吸い込み部から室１内の空気を吸い込んだ後に吹出し部から同じ室１内に吹き出させるようになっている。そして、この電動ファン装置１５は、吹出し部からの空気の吹出し方向が上記床部２上の光触媒（消臭素子含有層１２）に向いていて、吹出し部から吹き出された空気が床部２表面上で励起状態になった光触媒に当たるように所定以上の風速で送るものとされている。その風速は、光触媒に空気が連続して接触できる程度であればよく、例えば０．１ｍ／ｓ以上でが好ましい。
【００４６】
そして、消臭システムＳは、上記床部２表面上に太陽光が当たるように設けられて太陽光に含まれる紫外線により励起状態になる光触媒を有する消臭素子含有層１２と、太陽光により発電する太陽電池１７と、この太陽電池１７により作動して消臭素子含有層１２の光触媒に室１内の臭い成分を含む空気を当てる電動ファン装置１５とで構成され、室１内の空気中に含まれる臭気強度３以上の特定の臭い成分の全ての種類が、光触媒との接触により臭気強度２以下に低減される性能を有する。
【００４７】
また、このような消臭システムＳを用いた消臭方法は、建物Ｂにおける室１内の床部２表面に除去可能に設けられている光触媒に、太陽光に含まれる紫外線を照射して励起状態にし、その励起状態になった光触媒に、太陽電池１７の出力電力により作動する電動ファン装置１５により、室１内の臭い成分を含む空気を所定以上の風速で送って当てることにより、室１内の空気中に含まれる臭気強度３以上の特定の臭い成分の全ての種類を、光触媒との接触により臭気強度２以下に低減するものである。
【００４８】
上記臭気強度とは、例えば一般社団法人繊維評価技術協議会におけるＳＥＫマーク繊維製品認証基準の消臭加工に基づいて設定される強度であり、以下のように設定される。
【００４９】
対象となる全ての臭い成分の臭気物質の各々について溶剤に溶かし、その溶液をサンプル瓶に滴下してサンプル瓶内で所定濃度のガスを生成し、そのサンプル瓶内の臭気の有無を官能評価する。
【００５０】
この官能評価では、複数の官能評価実施者について、予め、Ｔ＆Ｔオルファクトメータを用いてβ-フェニルエチルアルコール（バラ臭）、メチルシクロペンテノロン（カラメル臭）、Iso-吉草酸（靴下臭）、Υ-ウンデカラクトン（桃臭）及びスカトール（糞便臭）の５つの臭気により嗅覚異常がないことを確認した後、それら複数の官能評価実施者が各サンプル瓶内のガスの臭いを嗅いだときに感じる程度を臭気強度１〜５として設定している。
【００５１】
すなわち、臭気強度１は「やっと感知できるにおい」であり、臭気強度２は「何のにおいであるかがわかる弱いにおい」であり、臭気強度３は「らくに感知できるにおい」であり、臭気強度４は「強いにおい」であり、臭気強度５は「強烈なにおい」である。従って、臭気強度３以上とは「容易に臭気を感じる」程度である。
【００５２】
また、上記室１Ｒ内部の空気中に含まれる臭い成分（臭気物質）は、例えばホルムアルデヒド、アセトアルデヒド、ノナナール、t-2-ノネナール、酢酸、プロピオン酸、n-酪酸、Iso-酪酸、n-吉草酸、Iso-吉草酸、カプロン酸（ヘキサン酸）、アンモニア、インドール、スカトール、ピリジン、メチルメルカプタン、硫化水素、硫化メチル、二硫化メチル、トリメチルアミン、1-ブタノール、アセトン、ジェオスミン、2-メチルイソボルネオール、2,4,6-トリクロロアニソール、トルエンの２６種類の中から、複数種類が複合されたものである。
【００５３】
したがって、この実施形態では、室１内の床部２表面において、窓７（窓ガラス９）を通して室１内に入射する太陽光が当たる部分に光触媒を有する消臭素子含有層１２が設けられているので、この消臭素子含有層１２の光触媒に窓７を通して入射する太陽光が照射されたときに、その太陽光に含まれる紫外線により光触媒が励起状態になる。
【００５４】
また、同じ室１内には、窓７を通して入射する太陽光により発電する太陽電池１７と、この太陽電池１７の出力電力を受けて作動する電動ファン装置１５とが設けられているので、入射する太陽光があると、その太陽光を受けて太陽電池１７が発電し、その電力により電動ファン装置１５が作動し、この電動ファン装置１５に室１内の臭い成分を含む空気が吸い込まれて床部２に向けて吹き出され、この吹き出された空気は、床部２表面の上記励起状態になった光触媒に当たるように所定以上の風速で送られる。こうして励起状態の光触媒に室１内の臭い成分を含む空気が当たることで、その空気中に含まれる臭気強度３以上の特定臭い成分の全ての種類が励起状態の光触媒に接触し、それら特定の臭い成分の全ての種類が光触媒により分解されて臭気強度３以上から臭気強度２以下に低減される。
【００５５】
そして、光触媒は太陽光に含まれる紫外線の照射により確実に励起状態になり、かつ、その光触媒に室１内の臭い成分を含む空気が強制的に送られて当たるので、室１内の空気を満遍なく確実に光触媒に接触させることができる。よって、室１の内部空間が閉鎖された空間であっても、臭気強度３以上の特定臭い成分の全ての種類が臭気強度２以下に低減され、その閉鎖空間に特定の臭い成分が充満することはなく、閉鎖空間内の消臭効果を実感することができる。
【００５６】
このため、室１が賃貸物件における空き室である場合、その空き室が人の使用や居住のないまま放置されて閉鎖空間となる期間中は、絶えず消臭素子含有層１２の光触媒による消臭処理が続けられることとなり、室１を見るために訪れた入居希望者が入室時に臭いについて好ましい第１印象を持つようになり、その結果、空き室の入居率の向上を期待することができる。
【００５７】
また、窓７を通して室１内に入射する太陽光を利用しているので、その太陽光が室１内に入射されている限り自動的に、消臭素子含有層１２の光触媒は励起状態になり、かつ太陽電池１７が発電して電動ファン装置１５が送風し、その電動ファン装置１５から空気が光触媒に当てられるようになり、室１内の空気の消臭を人手の掛からない無人の状態で安定して行うことができる。
【００５８】
しかも、光触媒は床部２表面の消臭素子含有層１２に設けられて、窓７を通して入射して床部２表面に当たる太陽光に含まれる紫外線により励起状態になるので、日中、室１内に窓７を通して入射された太陽光が光触媒に照射されると、その光触媒が励起されることになる。このことで、別途の紫外線照射装置を要することなく、太陽光をそのまま利用して光触媒を励起状態にすることができる。
【００５９】
また、室１内に、窓７を通して入射する太陽光が照射されると発電する太陽電池１７が配置され、この太陽電池１７の出力電力を受けて電動ファン装置１５が作動して送風するので、光触媒に室１内の空気を送って当てるための送風手段が容易に得られる。
【００６０】
すなわち、光触媒を励起状態とするための紫外線は、室１内に入射した太陽光に含まれるものであり、同じ太陽光で太陽電池１７を発電させて、その電力により電動ファン装置１５を作動させるので、外部の電源や電力は不要となる。
【００６１】
さらに、光触媒を含む消臭素子含有層１２は室１内の床部２に除去可能に設けられているので、消臭しようとする目的の室１の床部２表面に光触媒含有の消臭素子含有層１２を設け、かつ太陽電池１７と電動ファン装置１５とを設置するだけで、その室１の臭い成分を低減して消臭することができる。そして、その室１の消臭が不要となったとき、例えば空き室の場合に入居が決まった後は、光触媒を含む消臭素子含有層１２を床部２表面から除去し（光触媒を塗膜で設けたときには拭き取る）、かつ太陽電池１７と電動ファン装置１５とを室１から撤去すればよく、室１を消臭開始前の状態に容易に戻すことができる。
【００６２】
尚、この実施形態１では、床部２表面に光触媒を設けているが、室１内の他の部分に設けてもよく、例えば壁部４の表面や天井部３の表面（室内側の面）、或いは窓７における窓ガラス９の内面（室内側の面）に設けることができる。その場合、光触媒を設ける場所に応じて、その固定構造を適宜選択すればよい。
【００６３】
（実施形態２）
図２は本発明の実施形態２を示し（尚、以下の各実施形態では、図１と同じ部分については同じ符号を付してその詳細な説明は省略する）、光触媒を太陽光が当たらない位置に設けたものである。
【００６４】
すなわち、上記実施形態１では、光触媒が床部２表面に設けられているのに対し、この実施形態では、図２に示すように、光触媒を含む消臭素子含有層１２は、窓７と反対側に位置する壁部４であって窓７から室１内に入射した太陽光が当たらない部分の表面（室内側の面）に設けられている。この光触媒の壁部４表面への固定構造は、実施形態１に記載の床部２表面への固定構造と同様である。
【００６５】
また、電動ファン装置１５は、壁部４表面の消臭素子含有層１２に対向するように配置されて例えば支持台１９上に載置され、その吹出し口から吹き出された空気が所定の風速で壁部４表面の消臭素子含有層１２の光触媒に当たるようになっている。
【００６６】
一方、太陽電池１７は、実施形態１と同様に、室１内の窓側に窓７を通して入射する太陽光を受けるように配置されて、例えば支持台１９上に載置されている。
【００６７】
そして、室１内には、紫外線を照射する専用のＵＶ−ＬＥＤ２１（消臭紫外線照射装置）が壁部４表面の消臭素子含有層１２に対向するように配置され、このＵＶ−ＬＥＤ２１は例えば電動ファン装置１５と同じ支持台１９に載置されている。ＵＶ−ＬＥＤ２１は紫外線の照射方向が壁部４表面の消臭素子含有層１２に向くように配置されており、ＵＶ−ＬＥＤ２１から紫外線を壁部４上の消臭素子含有層１２の光触媒に照射して、その光触媒を励起状態にするようにしている。この場合、ＵＶ−ＬＥＤ２１に代えてブラックライトＬＥＤ等を利用してもよい。
【００６８】
また、上記ＵＶ−ＬＥＤ２１は、電動ファン装置１５と共に上記太陽電池１７に電線２３によって接続されており、太陽電池１７の出力電力により電動ファン装置１５とＵＶ−ＬＥＤ２１とを作動させるようになっている。その他の構成は実施形態１と同様である。
【００６９】
この実施形態の場合、室１内において、窓７を通して入射する太陽光が照射される位置に太陽電池１７が配置されており、この太陽電池１７に太陽光が照射されると、太陽電池１７は発電し、この太陽電池１７の出力電力を受けて、ＵＶ−ＬＥＤ２１が作動して紫外線を出力し、この紫外線が壁部４表面の消臭素子含有層１２の光触媒に照射されて光触媒が励起状態になる。また同時に、太陽電池１７の出力電力を受けて電動ファン装置１５も作動し、この電動ファン装置１５から吹き出された室１内の空気が壁部４表面の励起状態の光触媒に当たるようになる。このように励起状態の光触媒に室１内の空気が当たることで、その空気中に含まれる臭気強度３以上の特定臭い成分の全ての種類が励起状態の光触媒に接触し、それら特定の臭い成分の全ての種類が光触媒により分解されて臭気強度３以上から臭気強度２以下に低減される。
【００７０】
このため、室１内において、窓７と反対側の壁部４で日射が当たらない部分に光触媒を設けても、ＵＶ−ＬＥＤ２１を太陽電池１７からの出力電力により作動させて紫外線を光触媒に照射し、光触媒を励起状態にできるようになり、日射が当たらない部分で消臭効果を発揮させることができる。
【００７１】
尚、この実施形態において、光触媒は、床部２や天井部３において窓７と反対側に位置する側で窓７から室１内に入射した太陽光が当たらない部分の表面（室内側の面）に設けることもできる。その場合、太陽電池１７は窓７側の位置にそのまま配置し、ＵＶ−ＬＥＤ２１と電動ファン装置１５とを、ＵＶ−ＬＥＤ２１にあっては紫外線を照射して光触媒を励起状態にできるように、また電動ファン装置１５にあっては吹き出した室内空気が励起状態の光触媒に当たるようにそれぞれ配置すればよい。
【００７２】
（実施形態３）
図３は本発明の実施形態３を示し、送風手段の構成及び光触媒の配置位置を変えたものである。
【００７３】
すなわち、この実施形態では、図３に示すように、室１内には、実施形態１及び２における電動ファン装置１５、太陽電池１７及びＵＶ−ＬＥＤ２１が設けられていない。その代わり、室１内には、窓７と平行に延びる取り外し可能なシート状物２６が窓７に対し所定の間隔をあけた状態で対向するように配置され、このシート状物２６と窓７との間に空気通路２８が区画され、室１内は、空気通路２８とそれ以外の室内空間２９とに分けられている。この空気通路２８は、空気通路２８以外の室内空間２９に対し後述する下側及び上側連通路３１，３２を除いて連通しないように密閉されていることが望ましい。シート状物２６は、例えば窓際に吊すカーテンや、室１内の日焼け防止用のシートとして利用することができる。
【００７４】
そして、このシート状物２６の窓７側の面（空気通路２８側の面）に光触媒を有する消臭素子含有層１２が設けられており、実施形態１と同様に、窓７を通して入射する太陽光がシート状物２６上の消臭素子含有層１２の光触媒に照射されたときに、その太陽光に含まれる紫外線により光触媒が励起状態になるようになっている。
【００７５】
さらに、上記シート状物２６は、下端部と床部２との間及び上端部と天井部３との間にそれぞれ間隔があけられた状態で配置されており、そのシート状物２６の下端部と床部２との間には、空気通路２８の下端を空気通路２８以外の室内空間２９と連通する下側連通路３１が、またシート状物２６の上端部と天井部３との間には、空気通路２８の上端を空気通路２８以外の室内空間２９と連通する上側連通路３２がそれぞれ形成されている。
【００７６】
尚、シート状物２６を下端部が床部２に接触し、上端部が天井部３に接触するように配置し、そのシート状物２６の下端部及び上端部にそれぞれ開口からなる下側及び上側連通路３１，３２を設けるようにしてもよく（連通路３１，３２がシート状物２６そのものに開口している）、或いは、シート状物２６の下端部と床部２との間又はシート状物２６の上端部と天井部３との間に一方の連通路を形成し、シート状物２６の上端部又は下端部に開口からなる他方の連通路を形成するようにしてもよい。
【００７７】
このような構造により、窓７を通して室１内に入射した太陽光がシート状物２６上の消臭素子含有層１２の光触媒を励起状態にするだけでなく、空気通路２８の周囲に位置する部材（主にシート状物２６）や空気通路２８内の空気が太陽光で加熱され、それに伴い空気通路２８の空気が軽くなって同空気通路２８を上昇するようになっており、この空気通路２８を上昇する空気の流れにより、空気通路２８とそれ以外の室内空間２９との間に連通路３１，３２を介して自然対流Ｃを生じさせる送風手段が構成されている。その他の構成は、実施形態１と同様である。
【００７８】
したがって、この実施形態においては、室１内にシート状物２６が窓７と対向するように配置され、このシート状物２６に光触媒を有する消臭素子含有層１２が設けられているので、窓７を通して入射する太陽光がシート状物２６上の光触媒に照射されると、その太陽光に含まれる紫外線により光触媒が励起状態になる。
【００７９】
そして、上記シート状物２６は窓７との間に空気通路２８を区画するように配置され、この空気通路２８は、シート状物２６下側の下側連通路３１及び上側の上側連通路３２を介して空気通路２８以外の室内空間２９と連通しているので、窓７を通して入射した太陽光がシート状物２６等に当たって加熱されると、シート状物２６等からの伝熱により空気通路２８の空気も加熱される。この加熱された空気は軽くなって空気通路２８を上昇し、その後に上側連通路３２を経て空気通路２８以外の室内空間２９に流れる。これに伴い、逆に空気通路２８以外の室内空間２９の空気が下側連通路３１を経て空気通路２８の下端に流れ込む。このような流れにより、空気通路２８と空気通路２８以外の室内空間２９との間に空気の自然対流Ｃが生じ、この自然対流Ｃに沿って流れる空気がシート状物２６上の励起状態の光触媒に当たって、その空気中の特定臭い成分の全ての種類が臭気強度２以下に低減される。このことで、光触媒に室１内の空気を送って当てるための電動ファン装置１５は不要となり、送風手段が簡単な構造で得られる。
【００８０】
また、シート状物２６は取り外し可能に配置されているので、室１の消臭が不要となったとき、例えば空き室の場合に入居が決まった後は、シート状物２６自体を撤去すればよく、室１を消臭開始前の状態に容易に戻すことができる。
【００８１】
（実施形態４）
図４は実施形態４を示し、光触媒１２を設ける位置を変えたものである。すなわち、この実施形態では、図４に示すように、上記実施形態３（図３参照）において、光触媒を有する消臭素子含有層１２はシート状物２６の表面に代えて、窓ガラス９の内面（室内側の面）に例えば塗膜により除去可能に固着されており、窓７を通して室１内に入射された太陽光に含まれる紫外線が窓ガラス９の内表面の光触媒を励起状態にするようにしている。
【００８２】
その他の構成は実施形態３と同じであり、従って、この実施形態でも実施形態３と同様の作用効果を奏することができる。
【００８３】
（その他の実施形態）
尚、上記実施形態１及び２では、太陽電池１７の出力電力により電動ファン装置１５やＵＶ−ＬＥＤ２１が作動するようにしているが、これら電動ファン装置１５やＵＶ−ＬＥＤ２１を外部商用電源、乾電池、充電可能な蓄電池等の電力を受けて作動するようにすることもできる。しかし、電源が別途に不要になる等の点で太陽電池１７を用いるのが好ましい。
【００８４】
また、上記各実施形態では、建物の外壁部４ａに開口する外壁開口部は窓７としているが、ガラスが嵌め込まれたドアによって開閉される出入り口等であってもよい。
【産業上の利用可能性】
【００８５】
本発明は、空き室等の密閉空間において、その内部の空気中に含まれる臭気強度３以上の特定臭い成分の全ての種類を臭気強度２以下に低減でき、極めて有用である。
【符号の説明】
【００８６】
Ｂ  建物
Ｓ  消臭システム
Ｃ  自然対流
１  室
２  床部
３  天井部
４  壁部
４ａ  外壁部
７  窓（外壁開口部）
９  窓ガラス
１２  消臭素子含有層
１５  電動ファン装置（送風手段）
１７  太陽電池
２１  ＵＶ−ＬＥＤ（消臭紫外線照射装置）
２６  シート状物
２８  空気通路
２９  空気通路以外の室内空間
３１  下側連通路
３２  上側連通路
【図１】
2017176759.tif 000003
【図２】
2017176759.tif 000004
【図３】
2017176759.tif 000005
【図４】
2017176759.tif 000006